【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
シートクッション及び該シートクッションに対し傾倒自在に取り付けられるシートバックのいずれか一方に固定されるガイドブラケットと、上記シートクッション及びシートバックの他方に固定される内歯ギヤと、上記ガイドブラケット及び内歯ギヤ間に取り付けられたカムと、該カムの動きに連係して径方向に摺動する一対のロックギヤと、上記カムと一対のロックギヤを上記ガイドブラケットと内歯ギヤとの間に収容した状態で上記ガイドブラケットと内歯ギヤとを一体的に組み付ける取付リングとを備え、該取付リングが円形平面部と円筒状側部とを有し、該円筒状側部を上記ガイドブラケットと上記内歯ギヤのいずれか一方に接合するとともに、上記ガイドブラケットと上記内歯ギヤの他方の外周面を上記取付リングの円筒状側部の内周面と摺接させることにより上記ガイドブラケットと上記内歯ギヤの他方の径方向の位置決めを行うようにしたことを特徴とするリクライニング装置。
【請求項２】
上記取付リングの円筒状側部と、上記ガイドブラケット及び上記内歯ギヤのいずれか一方との接合をレーザー溶接により行うようにしたことを特徴とする請求項１に記載のリクライニング装置。
【請求項３】
上記取付リングの円筒状側部と、上記ガイドブラケット及び上記内歯ギヤのいずれか一方との接合をＣＯ２溶接により行うようにしたことを特徴とする請求項１に記載のリクライニング装置。
【請求項４】
上記取付リングを複数の取付リング片により構成し、隣接配置された部位同士を接合するようにしたことを特徴とする請求項１乃至３のいずれか１項に記載のリクライニング装置。
【請求項５】
上記取付リングに渦巻ばね係止片を設け、シートバックを前傾方向に付勢する渦巻ばねの一端をシートクッション側ブラケットに係止するとともに、上記渦巻ばねの他端を上記渦巻ばね係止片に係止したことを特徴とする請求項１乃至４のいずれか１項に記載のリクライニング装置。
【請求項６】
上記渦巻ばね係止片の可動範囲をシートクッション側ブラケットの二つの部位で規制することにより、上記内歯ギヤに対する上記ガイドブラケットの回動範囲を規制するようにしたことを特徴とする請求項５に記載のリクライニング装置。
【請求項７】
シートクッション及び該シートクッションに対し傾倒自在に取り付けられるシートバックのいずれか一方に固定される内歯ギヤと、上記シートクッション及びシートバックの他方に固定され上記内歯ギヤと噛み合う外歯ギヤと、該外歯ギヤの外歯と上記内歯ギヤの内歯との噛み合いを保持する一対の楔状部材と、上記外歯ギヤの外歯と上記内歯ギヤの内歯とが噛み合う方向に上記一対の楔状部材を付勢する弾性部材と、上記一対の楔状部材と上記弾性部材を上記内歯ギヤと上記外歯ギヤとの間に収容した状態で上記内歯ギヤと上記外歯ギヤを一体的に組み付ける取付リングとを備え、該取付リングが円形平面部と円筒状側部とを有し、該円筒状側部を上記内歯ギヤと上記外歯ギヤのいずれか一方に接合したことを特徴とするリクライニング装置。
【請求項８】
上記取付リングの円筒状側部と、上記外歯ギヤ及び上記内歯ギヤのいずれか一方との接合をレーザー溶接により行うようにしたことを特徴とする請求項７に記載のリクライニング装置。
【請求項９】
上記取付リングの円筒状側部と、上記外歯ギヤ及び上記内歯ギヤのいずれか一方との接合をＣＯ２溶接により行うようにしたことを特徴とする請求項７に記載のリクライニング装置。
【請求項１０】
上記取付リングを複数の取付リング片により構成し、隣接配置された部位同士を接合するようにしたことを特徴とする請求項７乃至９のいずれか１項に記載のリクライニング装置。
【請求項１１】
上記取付リングに渦巻ばね係止片を設け、シートバックを前傾方向に付勢する渦巻ばねの一端をシートクッション側ブラケットに係止するとともに、上記渦巻ばねの他端を上記渦巻ばね係止片に係止したことを特徴とする請求項７乃至１０のいずれか１項に記載のリクライニング装置。
【請求項１２】
上記渦巻ばね係止片の可動範囲をシートクッション側ブラケットの二つの部位で規制することにより、上記内歯ギヤに対する上記外歯ギヤの回動範囲を規制するようにしたことを特徴とする請求項１１に記載のリクライニング装置。
【請求項１３】
シートクッション及び該シートクッションに対し傾倒自在に取り付けられるシートバックのいずれか一方に固定されるガイドブラケットと、上記シートクッション及びシートバックの他方に固定される内歯ギヤと、上記ガイドブラケット及び内歯ギヤ間に取り付けられたカムと、該カムの動きに連係して径方向に摺動する一対のロックギヤと、上記カムと一対のロックギヤを上記ガイドブラケットと内歯ギヤとの間に収容した状態で上記ガイドブラケットと内歯ギヤとを一体的に組み付ける取付リングとを備え、上記ガイドブラケットに形成された円形凹部に上記内歯ギヤを嵌入させ、上記ガイドブラケットに上記取付リングを接合して上記ガイドブラケットと上記取付リングにより上記内歯ギヤを回動自在に保持したことを特徴とするリクライニング装置。
【請求項１４】
上記ガイドブラケットと上記取付リングとの接合をレーザー溶接により行うようにしたことを特徴とする請求項１３に記載のリクライニング装置。
【請求項１５】
シートクッションに対しシートバックを傾倒させるためのリクライニング機構と、所定の傾斜角に設定されたシートバックを前倒した後、シートバックを元の傾斜角に復帰させるためのメモリ機構を備えたリクライニング装置であって、
上記リクライニング機構をガイドブラケットの片側に設け、上記シートクッション及びシートバックの一方に固定される第１の内歯ギヤと、上記ガイドブラケット及び第１の内歯ギヤ間に取り付けられた第１のカムと、該第１のカムの動きに連係して径方向に摺動する一対の第１のロックギヤと、上記第１のカムと上記一対の第１のロックギヤを上記ガイドブラケットと第１の内歯ギヤとの間に収容した状態で上記ガイドブラケットと第１の内歯ギヤとを一体的に組み付ける第１の取付リングとで構成する一方、上記メモリ機構を上記ガイドブラケットの反対側に設け、上記シートクッション及びシートバックの他方に固定される第２の内歯ギヤと、上記ガイドブラケット及び第２の内歯ギヤ間に取り付けられた第２のカムと、該第２のカムの動きに連係して径方向に摺動する一対の第２のロックギヤと、上記第２のカムと上記一対の第２のロックギヤを上記ガイドブラケットと第２の内歯ギヤとの間に収容した状態で上記ガイドブラケットと第２の内歯ギヤとを一体的に組み付ける第２の取付リングとで構成し、上記第１及び第２の取付リングが円形平面部と円筒状側部とをそれぞれ有し、該円筒状側部を上記ガイドブラケットに接合するとともに、上記第１及び第２の内歯ギヤの外周面を上記第１及び第２の取付リングの円筒状側部の内周面とそれぞれ摺接させることにより上記第１及び第２の内歯ギヤの径方向の位置決めを行うようにしたことを特徴とするリクライニング装置。
【請求項１６】
上記第１及び第２の取付リングの円筒状側部と、上記ガイドブラケットとの接合をレーザー溶接により行うようにしたことを特徴とする請求項１５に記載のリクライニング装置。
【請求項１７】
上記第１及び第２の取付リングの円筒状側部と、上記ガイドブラケットとの接合をＣＯ２溶接により行うようにしたことを特徴とする請求項１５に記載のリクライニング装置。
【請求項１８】
上記第１及び第２の取付リングの各々を複数の取付リング片により構成し、隣接配置された部位同士を接合するようにしたことを特徴とする請求項１５乃至１７のいずれか１項に記載のリクライニング装置。
【請求項１９】
上記第１及び第２の取付リングの端縁を相補形状に設定して嵌合させたことを特徴とする請求項１５乃至１８のいずれか１項に記載のリクライニング装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
さらに、請求項２に記載の発明は、上記取付リングの円筒状側部と、上記ガイドブラケット及び上記内歯ギヤのいずれか一方との接合をレーザー溶接により行うようにしたことを特徴とする。
【手続補正４】
【補正対象書類名】明細書
【補正対象項目名】００１２
【補正方法】変更
【補正の内容】
【００１２】
また、請求項３に記載の発明は、上記取付リングの円筒状側部と、上記ガイドブラケット及び上記内歯ギヤのいずれか一方との接合をＣＯ２溶接により行うようにしたことを特徴とする。
【手続補正５】
【補正対象書類名】明細書
【補正対象項目名】００１３
【補正方法】変更
【補正の内容】
【００１３】
また、請求項４に記載の発明は、上記取付リングを複数の取付リング片により構成し、隣接配置された部位同士を接合するようにしたことを特徴とする。
【手続補正６】
【補正対象書類名】明細書
【補正対象項目名】００１４
【補正方法】変更
【補正の内容】
【００１４】
また、請求項５に記載の発明は、上記取付リングに渦巻ばね係止片を設け、シートバックを前傾方向に付勢する渦巻ばねの一端をシートクッション側ブラケットに係止するとともに、上記渦巻ばねの他端を上記渦巻ばね係止片に係止したことを特徴とする。
【手続補正７】
【補正対象書類名】明細書
【補正対象項目名】００１５
【補正方法】変更
【補正の内容】
【００１５】
また、請求項６に記載の発明は、上記渦巻ばね係止片の可動範囲をシートクッション側ブラケットの二つの部位で規制することにより、上記内歯ギヤに対する上記ガイドブラケットの回動範囲を規制するようにしたことを特徴とする。
また、請求項７に記載の発明は、シートクッション及び該シートクッションに対し傾倒自在に取り付けられるシートバックのいずれか一方に固定される内歯ギヤと、上記シートクッション及びシートバックの他方に固定され上記内歯ギヤと噛み合う外歯ギヤと、該外歯ギヤの外歯と上記内歯ギヤの内歯との噛み合いを保持する一対の楔状部材と、上記外歯ギヤの外歯と上記内歯ギヤの内歯とが噛み合う方向に上記一対の楔状部材を付勢する弾性部材と、上記一対の楔状部材と上記弾性部材を上記内歯ギヤと上記外歯ギヤとの間に収容した状態で上記内歯ギヤと上記外歯ギヤを一体的に組み付ける取付リングとを備え、該取付リングが円形平面部と円筒状側部とを有し、該円筒状側部を上記内歯ギヤと上記外歯ギヤのいずれか一方に接合したことを特徴とする。
また、請求項８に記載の発明は、上記取付リングの円筒状側部と、上記外歯ギヤ及び上記内歯ギヤのいずれか一方との接合をレーザー溶接により行うようにしたことを特徴とする。
また、請求項９に記載の発明は、上記取付リングの円筒状側部と、上記外歯ギヤ及び上記内歯ギヤのいずれか一方との接合をＣＯ２溶接により行うようにしたことを特徴とする。
また、請求項１０に記載の発明は、上記取付リングを複数の取付リング片により構成し、隣接配置された部位同士を接合するようにしたことを特徴とする。
また、請求項１１に記載の発明は、上記取付リングに渦巻ばね係止片を設け、シートバックを前傾方向に付勢する渦巻ばねの一端をシートクッション側ブラケットに係止するとともに、上記渦巻ばねの他端を上記渦巻ばね係止片に係止したことを特徴とする。
また、請求項１２に記載の発明は、上記渦巻ばね係止片の可動範囲をシートクッション側ブラケットの二つの部位で規制することにより、上記内歯ギヤに対する上記外歯ギヤの回動範囲を規制するようにしたことを特徴とする。
【手続補正８】
【補正対象書類名】明細書
【補正対象項目名】００１６
【補正方法】変更
【補正の内容】
【００１６】
さらに、請求項１３に記載の発明は、シートクッション及び該シートクッションに対し傾倒自在に取り付けられるシートバックのいずれか一方に固定されるガイドブラケットと、上記シートクッション及びシートバックの他方に固定される内歯ギヤと、上記ガイドブラケット及び内歯ギヤ間に取り付けられたカムと、該カムの動きに連係して径方向に摺動する一対のロックギヤと、上記カムと一対のロックギヤを上記ガイドブラケットと内歯ギヤとの間に収容した状態で上記ガイドブラケットと内歯ギヤとを一体的に組み付ける取付リングとを備え、上記ガイドブラケットに形成された円形凹部に上記内歯ギヤを嵌入させ、上記ガイドブラケットに上記取付リングを接合して上記ガイドブラケットと上記取付リングにより上記内歯ギヤを回動自在に保持したことを特徴とする。
【手続補正９】
【補正対象書類名】明細書
【補正対象項目名】００１７
【補正方法】変更
【補正の内容】
【００１７】
また、請求項１４に記載の発明は、請求項８に記載の発明において、上記ガイドブラケットと上記取付リングとの接合をレーザー溶接により行うようにしたことを特徴とする。
【手続補正１０】
【補正対象書類名】明細書
【補正対象項目名】００１８
【補正方法】変更
【補正の内容】
【００１８】
さらに、請求項１５に記載の発明は、シートクッションに対しシートバックを傾倒させるためのリクライニング機構と、所定の傾斜角に設定されたシートバックを前倒した後、シートバックを元の傾斜角に復帰させるためのメモリ機構を備えたリクライニング装置であって、上記リクライニング機構をガイドブラケットの片側に設け、上記シートクッション及びシートバックの一方に固定される第１の内歯ギヤと、上記ガイドブラケット及び第１の内歯ギヤ間に取り付けられた第１のカムと、該第１のカムの動きに連係して径方向に摺動する一対の第１のロックギヤと、上記第１のカムと上記一対の第１のロックギヤを上記ガイドブラケットと第１の内歯ギヤとの間に収容した状態で上記ガイドブラケットと第１の内歯ギヤとを一体的に組み付ける第１の取付リングとで構成する一方、上記メモリ機構を上記ガイドブラケットの反対側に設け、上記シートクッション及びシートバックの他方に固定される第２の内歯ギヤと、上記ガイドブラケット及び第２の内歯ギヤ間に取り付けられた第２のカムと、該第２のカムの動きに連係して径方向に摺動する一対の第２のロックギヤと、上記第２のカムと上記一対の第２のロックギヤを上記ガイドブラケットと第２の内歯ギヤとの間に収容した状態で上記ガイドブラケットと第２の内歯ギヤとを一体的に組み付ける第２の取付リングとで構成し、上記第１及び第２の取付リングが円形平面部と円筒状側部とをそれぞれ有し、該円筒状側部を上記ガイドブラケットに接合するとともに、上記第１及び第２の内歯ギヤの外周面を上記第１及び第２の取付リングの円筒状側部の内周面とそれぞれ摺接させることにより上記第１及び第２の内歯ギヤの径方向の位置決めを行うようにしたことを特徴とする。
【手続補正１１】
【補正対象書類名】明細書
【補正対象項目名】００１９
【補正方法】変更
【補正の内容】
【００１９】
また、請求項１６に記載の発明は、上記第１及び第２の取付リングの円筒状側部と、上記ガイドブラケットとの接合をレーザー溶接により行うようにしたことを特徴とする。
【手続補正１２】
【補正対象書類名】明細書
【補正対象項目名】００２０
【補正方法】変更
【補正の内容】
【００２０】
また、請求項１７に記載の発明は、上記第１及び第２の取付リングの円筒状側部と、上記ガイドブラケットとの接合をＣＯ２溶接により行うようにしたことを特徴とする。
【手続補正１３】
【補正対象書類名】明細書
【補正対象項目名】００２１
【補正方法】変更
【補正の内容】
【００２１】
また、請求項１８に記載の発明は、上記第１及び第２の取付リングの各々を複数の取付リング片により構成し、隣接配置された部位同士を接合するようにしたことを特徴とする。
【手続補正１４】
【補正対象書類名】明細書
【補正対象項目名】００２２
【補正方法】変更
【補正の内容】
【００２２】
また、請求項１９に記載の発明は、上記第１及び第２の取付リングの端縁を相補形状に設定して嵌合させたことを特徴とする。